(57)【要約】【課題】  任意に幅の違う台車に対して、近接して移動でき、さらに高さを調節でき、鋼材を台車の上部に積み込む際に台車上に立ち入って作業する必要をなくして作業できる昇降用デッキを提供する。【解決手段】  台車の設置場所に隣接して、一定の水平方向に任意に移動できる駆動機構と、上下方向に多段式で昇降できる駆動機構とを有し、一定の水平方向に汎用の電動モータを内蔵した駆動輪と、上下方向に多段式で昇降できる汎用の電動油圧リフターとを有し、かつ、多段式に上下方向に昇降できる昇降用デッキは、駆動機器によることなく自動で形状を変更しうる階段を付随して有し、この階段は、蹴上げ幅が１段で２００〜３００ｍｍで、かつ、定位置の下位置から中位置および上位置の２段階に変わり得る構造からなっている。【選択図】      図１
2011219799.tif 000002
【特許請求の範囲】
【請求項１】
一定の水平方向に任意に移動できる駆動機構と上下方向に多段式で昇降する機構に支持されたデッキを上部に備えたことを特徴とする作業用の昇降用デッキ。
【請求項２】
一定の水平方向に任意に移動できる駆動機構は電動モータを車軸に備えた車輪からなり、上下方向に多段式で昇降する機構は２段階で昇降できる電動油圧リフターをデッキの下部に有することを特徴とする請求項１に記載の作業用の昇降用デッキ。
【請求項３】
電動油圧リフターを下部に有するデッキは、デッキの２段階の昇降に合わせて高さの変わる階段を側部に付随して有することを特徴とする請求項２に記載の作業用の昇降用デッキ。
【請求項４】
高さの変わる階段は、蹴上げ幅が１段で２００〜３００ｍｍからなり、高さが定常位置の下位置から中位置および上位置の２段階に変わり得ることを特徴とする請求項３に記載の作業用の昇降用デッキ。
【発明の詳細な説明】
【技術分野】
【０００１】
本発明は、任意に幅の違う調質炉用の台車において、材料積み込みを行う際の多段積み作業の効率的で、安全性に優れた、一定の水平方向、上下方向に可動させることができる作業用の昇降用デッキに関する。
【背景技術】
【０００２】
従来、調質炉用の台車上へ鋼材を多段積みする作業を行う際には、例えば、人力にて固定デッキを一定の水平方向に動かすことにより、台車上へ材料を多段積みする作業を行っていた。多段積みを行う場合、上部に積み込むにしたがって、台車上に立入って作業を行う必要があった。このように台車上に立ち入る作業は、材料に近づいて行う作業となるために、作業性や安全性の観点において懸念があった。
【０００３】
一方、このような技術として昇降式移動足場からなる作業床が提案されている（例えば、特許文献１参照。）。しかし、この昇降式移動足場の作業床は、作業を行う度に、昇降位置となる調整と、その昇降高さに応じて任意に幅の違う台車となるので、人力による作業床の足場の幅合わせが必要である。さらに上部へ積み込みを行う際には、再びそれらの調整が必要であり、このために非効率的である。また、その際に階段を設置する場合に、高さの違う階段を数種類用意する必要がある。そこで、これらの用意した階段はどこか他の場所に仮置きしなければならず、そのために、作業する階段の設置場所の近辺に大きな仮置き用のスペースを必要とする。
【先行技術文献】
【特許文献】
【０００４】
【特許文献１】特開２００８−２１４９８３号公報
【発明の概要】
【発明が解決しようとする課題】
【０００５】
解決しようとする本発明の課題は、上述したように、昇降高さに応じて任意に幅の違う台車となる場合においても、近接して移動できる作業用の昇降用デッキとすることであり、かつ昇降用デッキの高さを調節可能とすることで、鋼材を台車の上部に積み込む際に、鋼材積み込み用の台車上に立ち入る必要をなく作業できる昇降用デッキを提供することである。
【課題を解決するための手段】
【０００６】
上記の課題を解決するための本発明の手段は、請求項１の手段では、一定の水平方向に任意に移動できる駆動機構と上下方向に多段式で昇降する機構に支持されたデッキを上部に備えたことを特徴とする作業用の昇降用デッキである。
【０００７】
請求項２の手段では、一定の水平方向に任意に移動できる駆動機構は電動モータを車軸に備えた車輪からなり、上下方向に多段式で昇降する機構は２段階で昇降できる電動油圧リフターをデッキの下部に有することを特徴とする請求項１の手段の作業用の昇降用デッキである。
【０００８】
請求項３の手段では、電動油圧リフターを下部に有するデッキは、デッキの２段階の昇降に合わせて高さの変わる階段を側部に付随して有することを特徴とする請求項２の手段の作業用の昇降用デッキである。
【０００９】
請求項４の手段では、高さの変わる階段は、蹴上げ幅が１段で２００〜３００ｍｍからなり、高さが定常位置の下位置から中位置および上位置の２段階に変わり得ることを特徴とする請求項３の手段の作業用の昇降用デッキである。
【００１０】
以上の手段に記載したように、本発明の手段では、例えば、調質炉に装入する鋼材を載置する台車の設置場所に隣接した位置に、電動モータの駆動により一定の水平方向に可動して横付けし、作業員が載って作業できるデッキを上部に有する昇降用デッキである。そのデッキの下部には、汎用の電動油圧リフターからなる昇降機構がデッキの長さに応じて任意の台数を設置しており、この昇降機構によってデッキである作業床を上下に、例えば２段階で昇降し得る機構となっている。
【発明の効果】
【００１１】
上記の手段としたことで、作業者が移動式の昇降用デッキを鋼材を積載する台車に対して一定の水平方向に移動し、次いで台車の作業高さに合わせて昇降用デッキの高さを上下に昇降することで、例えば調質炉に装入する鋼材を台車への積み込み作業をデッキに作業者が載って安全な姿勢で容易に作業することができる。また、昇降用デッキに付随して設けた階段は、デッキの高さ位置に合わせて昇降幅が１段で２００〜３００ｍｍからなる２段に変わる構造からなり、かつ高さが自動で調節されるので、この階段を使って安全にデッキに昇降することができる。この昇降用デッキとすることで、幅の違う台車に対しても昇降用デッキの使用が可能であり、かつ、鋼材の積み込み高さに合わせたデッキすなわち作業床の高さとできるので、デッキに作業員が載って台車への積み込み作業が容易に安全にできる。このように、本発明の手段としたことで、鋼材を調質炉に装入するための任意幅の台車への鋼材の積み込み作業が、安全でかつ労力の負担の少ない作業で実施できる。
【図面の簡単な説明】
【００１２】
【図１】鋼材を段積み有する台車と台車側部に左右から接近して配置された作業用の昇降用デッキを模式的に示す側面図で、デッキの高さを２段階で持ち上げた状態を破線で示す。
【図２】昇降用デッキの正面から見た模式的に示す正面図で、デッキの高さを２段階で持ち上げた状態を破線で示す。
【図３】鋼材を載置した台車とその３方に配置した昇降用デッキを模式的に示す平面図である。
【発明を実施するための形態】
【００１３】
昇降用デッキ１は、最上段に水平なデッキ１ａを有し、デッキ１ａはＸ状の電動油圧リフター２で支持されており、デッキ１ａの高さを定常位置から１段階高さ４ａおよび２段階高さに電動油圧リフター２により変えることができる。さらにＸ状の電動油圧リフター２は、下に車輪３を有する基板１ｂの上に支持されている。この車輪３はその一部がモータ３ｂで駆動される駆動輪３ａからなっている。さらに、デッキ１ａにはその端部に作業員が昇降するための階段４が付設されている。この階段４はデッキ１ａの高さの変動に従動して高さが自動で３段の高さに変動する構造となっている。これらの昇降用デッキ１は、図１の台車７の左右に示されており、昇降用デッキ１は、両矢印で示す水平移動方向５に移動でき、さらに両矢印で示す上下移動方向６に２段階で移動でき、それぞれの移動後の位置は、図１および図２において、破線で示すデッキ１ａによりそれぞれ示している。なお、上記の階段４は蹴上げ幅が１段で２００〜３００ｍｍからなり、その高さはデッキ１ａの高さの変動に従動して、上位置、中位置、下位置である定常位置からなり、定常位置である下位置から中位置、上位置の２段階に変動できる。ところで、その変動機構は階段４の左右端の縦軸が上下にずれて伸縮する構造からなるが図示していない。
【００１４】
図３は鋼材９を載置した台車７をその３方から取り囲んで配置した昇降用デッキ１の３台を模式的に示す平面図で、台車７の左右の昇降用デッキ１はその長さが台車７の両側部７ｂの長さと同じ長さである。一方、奥の階段４を付設して有する昇降用デッキ１の長さは、台車７の左右の昇降用デッキ１、１が台車７から後退して離れたときの破線で示す左右のデッキ１、１の両端の間の長さと略同様の長さからなる長尺の昇降用デッキ１となっている。
【００１５】
これらの昇降用デッキ１の使用状態を説明すると、図３の平面図に示すように、調質炉に装入するための鋼材９を積み込む作業場に、進退方向である前後部７ａとその両側部７ｂを有する台車７を配車し、台車７の左右と台車７の奥側に、モータ３ｂを有する駆動輪３ａで駆動して車輪３で移動してきた昇降用デッキ１をそれぞれ配置する。この場合、作業者によって操作して可動される昇降用デッキ１を台車７の左右および奥側にそれぞれ微調整して寄せて配置する。その後、作業者は昇降用デッキ１の電動油圧リフター２を操作して作動させて、昇降用デッキ１を上昇させる。昇降位置は、上位置、中位置、下位置である定常位置である。したがって、定常位置である下位置から任意の２段階の中位置あるいは上位置の積み込み作業の高さに合わせた目的の高さ位置に昇降用デッキを上昇させて停止する。先ず最初は中位置とした後、作業者は昇降用デッキ１に付設した階段４を昇ってデッキ１ａ上で積み込み作業を行う。さらに上位置の高さとしたデッキ１ａで作業をする必要となった場合は、作業者はデッキ１ａから降り、再び上位置の高さ位置までデッキ１ａを操作してそ上位置にデッキ１ａを可動する。この場合、デッキ１ａの高さの変動に伴われて昇降用デッキ１に付設した階段４も高さが変わる。その後、作業者はこの高さの変わった階段４からデッキ１ａに昇り、台車１の上に鋼材２の積み込み作業をさらに行う。
【００１６】
台車７への鋼材９の積み込み作業が終了すると、作業者はデッキ１ａから降り、その後デッキ１ａを下位置の定常位置に下降させ、さら昇降用デッキ１を台車７から離れる方向に移動させて台車７から離した後、鋼材９を積載した台車１を積み込み作業場から引き出し、調質炉に移動させる。
【符号の説明】
【００１７】
１  昇降用デッキ
１ａ  デッキ
１ｂ  基板
２  電動油圧リフター
３  車輪
３ａ  駆動輪
３ｂ  モータ
４  階段
４ａ  １段階高さ
４ｂ  ２段階高さ
５  昇降用デッキの水平移動方向
６  昇降用デッキの上下移動方向
７  台車
７ａ  前後部
７ｂ  両側部
８  台車の車輪
９  鋼材
【図１】
2011219799.tif 000003
【図２】
2011219799.tif 000004
【図３】
2011219799.tif 000005